(57)【要約】家庭での食器洗いや水滴ふき取りの手作業の負担軽減とその他の応用も可能とする。    独立した駆動装置を第１の構成要素とし、スポンジ及びスポンジカートリッジ軸の洗浄部材を第２の構成要素とし、それら洗浄装置を設置固定し制御する洗浄装置設置機具を第３の構成要素とし、その３つの主要構成要素を組み合わせて使用する食器洗い機であって、それは駆動装置の回転を歯車などを介さず洗浄部材に直接伝達し、食器類の片面洗浄は単独で、両面洗浄は２基一組で互いに逆回転で行い、それらを複数同時利用し、流し台のスペースを損なわず、シンク内壁に利用者の状況に応じて高さ調整、水平・垂直に取り付けて食器類や調理器具を主婦や高齢者などが負担なく洗浄でき、駆動装置を洗浄後の水滴の拭き取りや他の用途にも応用でき、流し台にその全てまたは一部機能を内蔵することができることを特徴とする。【特許請求の範囲】
【請求項１】
（１）（Ａ）モーター１基及び前記モーターを収納するケースからなる駆動装置と
（Ｂ）軸の一方に洗浄部材を着脱可能に取り付けてあり、軸の他方に前記モーター
の回転軸を取り付けて前記モーターの回転による動力を直接伝達するカートリッジ軸と
を有する洗浄装置及び、
（２）前記洗浄装置を流し台シンクの内壁に取り付けるための器具であって、前記洗浄装置取付部及び流し台取付部を有する洗浄装置設置機具
を有する食器洗い機であって、
前記洗浄設置機具が、前記洗浄装置を、前記洗浄装置取付部の任意の位置に、垂直にも水平にも着脱可能に取り付けでき、
前記洗浄装置の駆動装置のケースが、一又は複数の面に固定ピンを有し、
前記洗浄装置設置機具が、洗浄装置取付部として専用設置板を有し、
前記専用設置板が、前記洗浄装置の駆動装置を取り付けるための取り付け穴を縦横等間隔で設けてあり、
前記固定ピンを前記取り付け穴に取り付けることができる
ことを特徴とする食器洗い機。
【請求項２】
（１）（Ａ）モーター１基及び前記モーターを収納するケースからなる駆動装置と
（Ｂ）軸の一方に洗浄部材を着脱可能に取り付けてあり、軸の他方に前記モーター
の回転軸を取り付けて前記モーターの回転による動力を直接伝達するカートリッジ軸と
を有する洗浄装置及び、
（２）前記洗浄装置を流し台シンクの内壁に取り付けるための器具であって、前記洗浄装置取付部及び流し台取付部を有する洗浄装置設置機具
を有する食器洗い機であって、
前記洗浄設置機具が、前記洗浄装置を、前記洗浄装置取付部の任意の位置に、垂直にも水平にも着脱可能に取り付けでき、
前記洗浄設置機具に、駆動装置のモーターの回転方向が互いに逆方向である一対の洗浄装置を、一方の洗浄装置の駆動装置のケースと他方の洗浄装置の駆動装置のケースとを合体して、水平又は垂直に並列して設置し、各種食器類及び調理器具の両面を洗浄できる
ことを特徴とする食器洗い機。
【請求項３】
前記洗浄装置設置機具が、流し台取付部として２基の設置フックを有し、
かつ、
前記駆動装置のモーターの制御装置を有する操作盤を有し、
前記設置フックが、流し台シンクにぶら下げるフックであって、
前記専用設置板を該設置フックの任意の高さに取り付け可能であり、
流し台シンクの幅に応じて設置幅を調整可能であり、
前記操作盤が、両端を前記設置フックと流し台シンクとの間に挟みこんである
ことを特徴とする請求項１又は２のいずれかに記載の食器洗い機。
【発明の詳細な説明】
【技術分野】
【０００１】
本発明は、一般家庭での食器の洗浄、よびその他台所での幅広い使用を可能とする回転スポンジ式食器洗い機に関するものである。
【背景技術】
【０００２】
従来、家庭用に発明されている回転式食器洗い機は、主にモーター等の駆動装置１基に複数の歯車などを介して段階的、間接的に複数のブラシを連携させ、すべて同時に回転させる仕組みである。
上記した従来の発明では、設置機具と本体が一体型である。そのため本体自体がシンク縁内外にまたがって設置・固定され、設置位置を移動する際、全体を動かして固定しなおす構造である。
また、回転する複数のブラシはシンク内壁に平行またはシンク底に垂直に固定され回転し、狭いシンク内側に常に一定のスペースを占めている。
また、利用時に際して洗浄部分は主にブラシを用いるとして、少なくとも平行方向に並んだ回転ブラシを複数一組として設け、その全てが歯車をつうじて連動して食器類の両面洗いを行うとしている。
なお、本願発明に関連する公知技術として次の特許文献１と特許文献２を挙げることができる。
【特許文献１】特開平１０−３０９２５３号広報
【特許文献２】特開平０７−１７１０８６号広報
【発明の開示】
【発明が解決しようとする課題】
【０００３】
図４１、図４２、図４３に示した従来発明に係る回転ブラシ式食器洗い機には、大別して▲１▼構造の問題、▲２▼設置とスペースに関する問題、▲３▼機能上の限界などの問題がある。
第１に、従来の発明では構造的な問題が多くある。それはまず、駆動装置の駆動力を回転ブラシまで伝達する際、間に歯車などを利用して間接的にブラシ部分を回転させる仕組みであるパワーの無駄を生じさせる。家庭で利用するモーター１個で複数の歯車を連動させ、食器洗浄に用いるのは無理があり実用に耐えることは困難である。用いたとしても大きさ、重量、安定性、安全性、騒音などが問題となる。
次に、従来の発明品は、回転ブラシは複数あっても各ブラシの独立利用や、洗いと拭取りなど別な用途への同時利用が不可能な仕組みである。一つのブラシのみ利用したい場合も全歯車と軸が回り、一つのブラシを止めても全てが止まる。
次に、歯車では構造上複雑で、歯車への負担が大きく故障しやすい。製造に関わる工程も多く製造原価も高くなる。ベルトを用いた場合、空回りしやすい。
次に、強く食器類を抑えつけた際、ブラシ回転軸根元部分の負担が大きく折れやすい。一つが折れたり故障した場合、その利用価値は激減する。
構造上の問題として最後に、従来の発明では、駆動装置と設置機具が一体型であるため、いろんな位置での利用や利用角度の変更についてはほとんど考慮外であった。利用する人の条件や立場に機械を合わせるのでなく、その逆であった。
従来の発明品の問題点は第２に、スペース上の問題である。それはまず、回転する複数のタワシが食器類と接触した場合、食器類の破損が危惧される。食器をいちいち移動したり、設置に手間がかかっていては利用する必要性を感じない。
従来の発明のスペース上の問題として次に、常時設置して置くには不適切である。このため利用と保管の度に全体を持って設置、取り外しを繰り返さなければならない。それは一般の家庭の主婦に、さならる負担を強いることになる。
従来の発明に共通している重大な問題は第３に、機能的な限界である。
まず、従来の発明は、全て洗浄部分は主にブラシの利用を前提としている。多品種少量の食器類、調理器具類を用いる一般家庭でブラシの利用はフライパンのこげや頑固な汚れ落としの際ぐらいである。ブラシでは透明グラスや艶のある高級食器などの表面にこまかな傷を付けやすく、食器の形状に対応する柔軟性に乏しい。
また、ブラシでは細長い毛と毛の隙間から洗浄液の洩れによる無駄が生じ、洗浄液や泡が回転の遠心力による毛の放射方向への飛び散りが起こりやすく、またスポンジにくらべ泡立ちの問題なども明白である。
また、機能的な限界としては、家庭の主婦たちが食器洗いの後、とくに面倒と感じている水滴の拭取りのための工夫がまったくないことである。食器洗浄の際、水滴の拭き取りは自然乾燥にまかせ省く場合が多々あるがその主な原因は面倒だからである。これまでの発想の限界のひとつは、この水滴の拭き取りが考慮外であった点である。
次に、従来の発明での機能上の限界は、他の用途への応用は考慮外であった。駆動装置を用いる以上、力のいるホイップ作業や鍋やフライパンなどの焦げ落しなど、主婦の負担を省けるよう用途を広げてもいいが、その発想と工夫がまったくない。
家庭用の回転式食器洗い機に必要な機能とは、省スペースを実現し、様々な位置で多様な利用が可能であり、多様な形状の食器類や調理器具の洗浄を簡単に済ませられ、洗浄後の水滴拭取りも可能で、利用用途を広げることが可能なものが望ましい。いわば全自動食器洗い乾燥機と手洗いの中間的な利便性と機能を備えたものである。
本発明は、このような点に鑑みて発明されたものである。とくに本発明が追求するものは第１に、スポンジを持ちながら力を込めて洗浄作業を行う右手を解放し、それを本発明に任せ、通常は左手だけで食器類を支え持つ行為を左右両手で行えるようにすること、すなわち両手で食器類を支え持ち押し当てるだけで食器洗浄を済ますことである。
本発明が追及するものは第２に、水滴の拭取りをも簡単に済ませ、労力を省け、時間短縮に貢献し、操作性が簡単であること、また構造が単純・軽量で設置収納が簡単、他の用途への利用や応用も簡単にでき、壊れた際もパーツ交換だけで済ませること、安価であることなどの一連の利便性向上のための課題を克服することにある。
【課題を解決するための手段】
【０００４】
本発明の一態様は、上記目的を達成するため、（１）（Ａ）モーター１基及び前記モーターを収納するケースからなる駆動装置と（Ｂ）軸の一方に洗浄部材を着脱可能に取り付けてあり、軸の他方に前記モーターの回転軸を取り付けて前記モーターの回転による動力を直接伝達するカートリッジ軸とを有する洗浄装置及び、（２）前記洗浄装置を流し台シンクの内壁に取り付けるための器具であって、前記洗浄装置取付部及び流し台取付部を有する洗浄装置設置機具を有する食器洗い機であって、前記洗浄設置機具が、前記洗浄装置を、前記洗浄装置取付部の任意の位置に、垂直にも水平にも着脱可能に取り付けでき、前記洗浄装置の駆動装置のケースが、一又は複数の面に固定ピンを有し、前記洗浄装置設置機具が、洗浄装置取付部として専用設置板を有し、前記専用設置板が、前記洗浄装置の駆動装置を取り付けるための取り付け穴を縦横等間隔で設けてあり、前記固定ピンを前記取り付け穴に取り付けることができることを特徴とする食器洗い機を提供する。本発明の他の態様は、（１）（Ａ）モーター１基及び前記モーターを収納するケースからなる駆動装置と（Ｂ）軸の一方に洗浄部材を着脱可能に取り付けてあり、軸の他方に前記モーターの回転軸を取り付けて前記モーターの回転による動力を直接伝達するカートリッジ軸とを有する洗浄装置及び、（２）前記洗浄装置を流し台シンクの内壁に取り付けるための器具であって、前記洗浄装置取付部及び流し台取付部を有する洗浄装置設置機具を有する食器洗い機であって、前記洗浄設置機具が、前記洗浄装置を、前記洗浄装置取付部の任意の位置に、垂直にも水平にも着脱可能に取り付けでき、前記洗浄設置機具に、駆動装置のモーターの回転方向が互いに逆方向である一対の洗浄装置を、一方の洗浄装置の駆動装置のケースと他方の洗浄装置の駆動装置のケースとを合体して、水平又は垂直に並列して設置し、各種食器類及び調理器具の両面を洗浄できることを特徴とする食器洗い機を提供する。前記洗浄装置設置機具が、流し台取付部として２基の設置フックを有し、かつ、前記駆動装置のモーターの制御装置を有する操作盤を有し、前記設置フックが、流し台シンクにぶら下げるフックであって、前記専用設置板を該設置フックの任意の高さに取り付け可能であり、流し台シンクの幅に応じて設置幅を調整可能であり、前記操作盤が、両端を前記設置フックと流し台シンクとの間に挟みこんであるものであってもよい。上記の目的を解決する本発明によれば、その特徴は第１に、構造が一体型でなく、３つの主要構成部分（（１）駆動装置、（２）スポンジおよびスポンジカートリッジ軸、（３）設置機具）からなる組み合わせ型または分離型であること、第２に、独立した駆動装置を単体または複数組み合わせて一定の範囲内で自由な位置（高さ、水平、垂直など）に取付け、それに多様な形状のスポンジなどを装着し回転させ、多種多様な形状の食器類や調理器具を片面または両面洗浄すること、第３に、様々なカートリッジの交換および駆動装置を他の目的にも応用できる手持ち式装置などの利用により、食器洗浄以外の水滴の拭き取りや他の用途にも利用可能とすることなどである。
本発明の前記した特徴の核となるものは、上記３つの主要構成要素を合体、組み合わせて三位一体で利用するというアプローチで、食器洗いにまつわる多くの手作業の負担を軽減することであり、その点が従来発明との構造的、本質的な違いといえる。
まず本発明では、第１の構成要素である駆動装置の動力の伝達法と、駆動装置を組み合わせて利用するという点で、歯車式の従来発明とは異なっている。
本発明では、回転数を低回転に制御されたモーターを独立した駆動装置として用いそれにスポンジカートリッジ軸（スポンジ回転軸）を直接取り付ける仕組みである。それにより駆動装置のパワーを直接スポンジ回転軸へ伝えられる。そのため食器を少々強く押し当ててもパワーの減少や分散を防ぎ、空回りも防げる。駆動装置自体も基本的にモーターとそのケースのみでコンパクトかつ軽量で取り外しや設置が楽である。また、回転方向と回転数をスイッチで簡単操作できる。
また、独立した駆動装置２つを結合し、２基一組で食器の両面洗いが可能で、その際（並行利用時）回転を互いに逆回転に連携させ、各種食器類を回転の内側に取り込むようにして両面洗いを実現する。本発明ではコップの内面・底面や皿の表面のみの簡単な洗浄の際には１基のみの利用も可能とし、スイッチにより正逆回転を任意に切替え選択できる。また、たとえば２名で利用する際、一つは２基の合体利用で両面洗い、もう一つは単独でのコップ洗いまたは水滴の拭き取りなど複数の同時利用が可能となる。
本発明では、主にスポンジを利用するため、スポンジに含んだ水滴や洗浄液、泡や飛沫が飛び散ることのない理想の回転数と、洗浄に適した回転数とが一致することが求められる。試験的装置での実験の結果、最も適した回転数は、２００ｒ／ｍｉｎ前後の回転数である。ちなみに実験によると、回転式食器洗い機の安全な利用と水滴の飛び散り防止の限界回転数は２５０ｒ／ｍｉｎ前後（１秒間に４回前後の回転）が限界範囲と思われる。
各駆動装置の回転数は、変圧器で調整可能とし、スイッチ操作で電極を交互に変えることで正逆回転の変換も可能とする。
また、駆動装置の取付けはシンク内壁に面した専用設置機具にワンタッチで装填・固定できるものとする。１基での利用も、２基一組での同時利用の際も専用設置機具に垂直、水平、並行、高さ調整など自由に取付けられる。
駆動装置の回転軸は、スポンジカートリッジ軸の接続部分と対をなした凸凹形状の歯車や引っ掛けフック、または金具状の固定ピンなどにより、スポンジカートリッジ軸とワンタッチで接続・固定される。接続・固定後は軸の空回りを防ぐ。その形状は洗浄液や水滴がモーター軸の隙間から染み込むことのないようある程度の防水構造とする。
次に、第２の構成要素であるスポンジカートリッジ軸と装着スポンジである。
スポンジカートリッジ軸は、各駆動装置の回転軸への装着と洗浄スポンジの装着に用いる。駆動装置の回転軸に差し込むだけで、ワンタンチで取付け固定され、スポンジの取替えも軸から抜きとるか差し込むだけで可能な仕組みとする。常に専用スポンジ等を取付けたまま利用したり、その状態での洗浄と保管も可能とする。
スポンジカートリッジ軸の形状は細長で表面に空回りを防ぐための出っ張りのある円柱型とし、スポンジの中心部の穴に差し込む。スポンジカートリッジ軸の長さは、洗浄スポンジの３分の２または４分の３とする。
スポンジカートリッジ軸の素材としては、錆びない金属や強化プラスチックなどを用い、一部柔軟性のあるプラスチックやバネなどの弾性部材を用いる。
スポンジカートリッジ軸は、専用スポンジ用以外に水滴拭き取り用、哺乳瓶用、専用ブラシ装填用など数種類用意する。水滴拭取り用のカードリッジは、軸は短くバネなどを用い、上部は円盤状かなだらかで若干球面体の形状で、円形の専用布巾や、通常家庭内で拭取りに利用する正四方形の木綿布巾などを４つ折りにして装着し、４面とも利用できる構造とする。また、ブラシ用カートリッジ軸も用意する。
取替えスポンジは、スポンジカートリッジ軸の形状に合わせて筒の中央に穴を開けた形状でカートリッジ軸に差し込んで利用する筒状の形状となる。また、駆動装置を横にして利用する際安定金具により支えられる隙間のある上下分離型と駆動装置を立てて利用する場合のみ利用できる一本型などとする。
カートリッジ軸が貫通しないスポンジ上部の約３分の１または４分の１の部分は、スポンジ自体の柔軟性を最大限利用することができ、複雑な形状の食器に対応させる。
次に、第３の構成要素である設置機具である。シンクの縁を跨いで設置する仕組みである。そして流し台シンク縁の一定の幅に対応できる幅調整可能なもので、設置後▲１▼本体駆動装置のみをワンタッチで取り付け、取り外しができる。▲２▼駆動装置を取り外した際、設置機具はシンク内壁に薄く平行にありスペースを損なわず、常設できる。
設置機具の素材としては、電気や防水関連の部品以外の主な部分はステンレスその他の錆びにくく頑丈な材質のもの（金属や一部プラスチック等の素材）を利用する。
設置機具の機能は、▲１▼駆動装置を固定、▲２▼駆動装置を横倒し利用する際、スポンジ軸の中心付近に達する支え金具を設け、回転のブレを防ぎ軸根元の負担を無くす、▲３▼ある程度シンク内壁に沿って設置機具自体スライド移動できる、▲４▼駆動装置の設置・利用の高さ調整可能、▲５▼駆動装置の電源オン・オフ、回転方向の変更、回転数の調整などを行う操作スイッチ類および変圧装置等をコンパクトに収納−などである。
駆動装置の回転は、他の作業に応用できる。例えばホイップ作業、鍋などの調理器具のこびりつきを落としにも利用できる。その際、駆動装置を専用手持ち装置に装着し、回転軸に専用ホイップ軸を取り付けたり、回転ブラシを取り付けたりして用途を広げられる。専用手持ち装置を充電式にすると屋外利用も可能となる。
【発明の効果】
【０００５】
以上説明したように本発明によれば、第１に、駆動装置のパワーを損なうことがないことである。各駆動装置は各自独立しており、直接カートリッジ軸に繋ぎ利用するという単純な構造であるため、駆動力をスポンジまで無駄なく伝達できる。
発明の効果は第２に、駆動装置と設置機具、そして洗浄スポンジの３つの分離構造であるため、両面洗浄利用時の設置や取り外しでも小型モーター２つとそのケース、スポンジだけの重量、１基利用の際はその半分の比較的軽量な部分のみ着脱する。そのため食器洗いを担う主婦や高齢者に負担が少なく日常的利用に耐えうる。
発明の効果は第３に、駆動装置の取外しの後は薄い洗浄装置設置機具のみシンクの内壁に収まっておりそれを常設したとしても従来の発明では見られない省スペースを実現できる。仮に、駆動装置を設置したままでも、それほどシンクスペースを損なわない。
発明の効果は第４に、各家庭の状況に応じた位置、角度での利用が可能である。駆動装置とスポンジの回転角度の水平・垂直への取り付け切り替えや、本体の高さ調整、利用位置の変更、左利き・右利きなどの利用者側の立場で正逆両方向の回転を切り替えての利用、１基のみの利用などである。そのため流し台の形状や大きさ、日々変わる食器・調理器具の量、シンクの容量、シンク周辺の空きスペースの大小、２名による１基ずつの同時利用など、一様でない各家庭の状況での多様な利用に対応できる。
発明の効果は第５に、食器を直接洗浄する部分にブラシでなく、スポンジを利用できることである。家庭での食器洗いの際、スポンジはブラシの機能をほぼ代用できるが、逆にブラシをスポンジの代用として使うのは一部を除き不向きである。手に優しく、ブラシよりも吸水性にすぐれ、泡立ちもよく、柔らかで隙間もなく、形状の変化と形状復帰能力にもすぐれたスポンジを利用することは、家庭の各種食器や調理器具の形状におおよそ対応でき適している。スポンジであれば一本ずつ手間のかかる箸やスプーンの洗浄も数本まとめて押し付けて洗え、短時間で済ませられる。
発明の効果は第６に、洗浄後の水滴の拭取を簡単かつスピーディーに済ませることができる。駆動装置の回転軸に水滴の拭取り用の専用カートリッジを取付け、専用布巾やまたは布巾を４分の１に折りたたみ各１面ずつ専用カートリッジの表面山盛り部分に取付ける。１面の水滴の吸収の程度によって拭取り面を４回交換でき、布巾１枚で食器量の多い場合でも十分水滴を吸収し拭き取れる。折りたたんだフキンの間にペーパータオルを挟むことにより更にフキンの吸水効率を増し、大量の食器の拭取りを可能とする。コップの底などもスポンジ自体に布巾を被せることで水滴を拭き取れる。
発明の効果は第７に、駆動装置の用途を広げられることである。駆動装置を手持ち式に使えるため、カートリッジ軸をホイップ用などに取り替えるだけで回転式ホイップ機の機能も果たせ、専用ホイップ機を単独購入する必要もない。
発明の効果は第８に、３つの主要構成要素は比較的単純で部品が少なく、製造が容易で製造原価が安価である。よって一般家庭でも購入しやすい。とくに故障の際に分解する必要がなく、故障した部分だけの交換で事足りる。
発明の効果は第９に、流し台本体に上記の機能を全てまたは一部を取り入れ、内蔵型とすることもできる。ビルトイン型全自動食器洗い機を内蔵した流し台や別途設置されている場合においても、洗浄する食器が少量の場合利用しないケースが多く、下洗いなど現実的に全ての手洗いを無くすことは出来ない。全自動食器洗い機も利用するが、シンクの一部に本発明を取り入れた流し台であれば利用者への利便性を更に向上でき、システ厶キッチンとしての完成度も高まる。
発明の効果は第１０に、食器洗いに対する負担感を軽減できることである。多くの主婦たちは、毎日繰り返し料理・調理し、食器洗いを行っているがその負担から少しでも逃れたいと感じている。食事を楽しんだ後の「後始末」である食器洗いを負担感なく楽しく、ラクにできるということは、精神面においても意義がある。
全自動食器洗い機未満、手洗い以上。本発明者ならびに多くの主婦たちが毎日の食器洗いのために求めているものとは、このような中間に位置すべき機能と利便性を備える安価な機器である。本発明は、まったく新たな発想をもって使いやすく、安価な器具を提供することを最大の目標としている。本発明により、食器洗いや拭取り作業を担う多くの女性たちの手間や食後の負担感を軽減できるならばそれは本発明の最大かつ本質的な目的の達成を意味する。
【図面の簡単な説明】
【０００６】
図１は、本発明の実施の形態に係わる回転スポンジ式食器洗い機拭き取り機の外観傾斜図である。
図２は、洗浄装置（駆動装置とスポンジカートリッジ軸およびスポンジを差し、以下洗浄装置とする）を９０度横回転させ、洗浄装置設置板に取り付けた外観傾斜図である。
図３は、洗浄装置２基をそれぞれ別用途に独立に利用する外観傾斜図である。
図４は、洗浄装置２基を一組にし、食器の両面洗いに使用する様子を示す外観傾斜図である。
図５は、実際の食器類の両面洗いの模様を示した外観傾斜図である。
図６は、２基に駆動装置を縦、横別々に利用にている様子を示す外観傾斜図である。
図７は、２基の洗浄装置を拭き取りと食器洗いに別々に独立利用した模様の外観傾斜図である。
図８は、モーターを内蔵した主要駆動装置Ａ０１を横から見た断面図である。
図９は、主要駆動装置Ａ０１の前と後ろの面を示した図である。
図１０は、補助駆動装置Ａ２１を横から見た断面図である。
図１１は、補助駆動装置Ａ２１の設置機具取付け面と駆動装置接続面を示した平面図である。
図１２は、両駆動装置を合体させ２基一組で使用する仕組みを示した外観傾斜図である。
図１３は、両駆動装置の互いに対応した面を繋ぎ、合体させた断面図である。
図１４は、流し台の縁に駆動装置を実際に取り付けた様子を示す平面図である。
図１５は、流し台に設置した洗浄装置設置機具の構成を示した外観傾斜図である。
図１６は、簡易設置機具の形状と駆動装置の設置を示す外観傾斜図である。
図１７は、簡易設置機具を実際に利用する様子を示す外観傾斜図である。
図１８は、操作盤の構成と台設置フックを上から乗せて設置する様子を示した外観傾斜図である。
図１９は、設置フック上部構造を示す外観傾斜図である。
図２０は、設置フックに専用設置板を装着する様子を示した外観傾斜図である。
図２１は、駆動装置を専用設置板に装着する様子を示す外観傾斜図である。
図２２は、回転安定金具を利用する際に９０度前面に回転させた外観傾斜図である。
図２３は、回転安定金具を利用した場合の横平面図である。
図２４は、回転安定金具が洗浄機材回転軸を支えている様子を示す平面図である。
図２５は、専用設置板の取り付け位置を高くし、横移動させた様子を示した平面図である。
図２６は、駆動装置取付け穴の替わりにレール型取り付け溝を用いた専用設置板の平面図である。
図２７は、各駆動装置を様々なパターンと位置での利用を示した平面図である。
図２８は、スポンジカートリッジ軸の形状とその利用を示した断面図である
図２９は、多様な食器類の両面洗浄の具体例を示す断面図である。
図３０は、合体した洗浄装置の上部スポンジに洗いにくい部分を押し当てた断面図である。
図３１は、ブラシを一部利用して、底の深いビールグラスを両面洗いする利用例を示す断面図である。
図３２は、箸を数本同時に押し当て、まとめて洗浄する様子や、長いコップなどを洗浄すること示した平面図である。
図３３は、水滴を拭き取るための拭き取りカートリッジの形状と構造、構成を示した図である。
図３４は、専用布巾の代用品として汎用布巾を水滴の拭き取りに利用する様子を示す図である。
図３５は、専用スポンジの形状と専用ブラシの形状の一例を示した図である。
図３６は、充電式多目的用取付け機に駆動装置ごと取付けホイップ付カートリッジを装着した断面図である。
図３７は、充電式多目的用取付け機に専用ブラシを取り付けた様子を示した断面図である。
図３８は、流し台本体に本発明を取り入れたものを示す外観傾斜図である。
図３９は、図３８と同様、本発明の内蔵位置を変えたものを示す外観傾斜図である。
図４０は、本体制御の操作盤の基本的な電気回路図である。
図４１は、一体型の従来発明品の断面図である。
図４２は、一体型の従来発明品の外観傾斜図である。
図４３は、他の従来発明品の断面図である。
【符号の説明】
【０００７】
Ａ０１  主要駆動装置
Ａ０２  モーター
Ａ０３  駆動装置ケース
Ａ０４  軸装着装置
Ａ０５  空回り防止金具
Ａ０６  設置機具取付け面
Ａ０７  補助駆動装置接続面
Ａ０８  固定ピン
Ａ０９  溝付留め穴
Ａ１０  電線穴
Ａ１１  支え台
Ａ１２  同時利用時逆回転変換用繋ぎ装置
Ａ１３  支えゴム
Ａ２１  補助駆動装置
Ａ２２  設置機具取り付け面
Ａ２３  主要駆動装置接続面
Ａ２４  逆回転固定電源接続部
Ａ２５  駆動装置専用収納ケース
Ａ３１  駆動装置専用収納ケース
Ｂ０１  洗浄装置設置機具
Ｂ０２  操作版
Ｂ０３  駆動装置用スイッチ
Ｂ０４  回転数制御装置
Ｂ０５  電源コード
Ｂ０６  駆動装置電源接続プラグ
Ｂ０７  簡易設置機具
Ｂ１１  設置フック
Ｂ１２  専用設置板
Ｂ１３  固定用手ネジ
Ｂ１５  縁幅調整固定手ネジ
Ｂ１６  キズ付け防止ゴム
Ｂ２１  駆動装置取り付け穴
Ｂ２２  フック取り付け穴
Ｂ２３  レール型専用設置板
Ｂ２４  レール型取り付け溝
Ｂ３１  回転安定金具
Ｂ３２  変圧器
Ｃ０１  スポンジカートリッジ軸
Ｃ０２  回転軸結合装置
Ｃ０３  スポンジ受け
Ｃ０４  空回り止め
Ｃ０５  下部専用スポンジ
Ｃ０６  上部専用スポンジ
Ｃ０７  一体型スポンジ
Ｃ０８  一体型専用ブラシ
Ｃ０９  上部専用ブラシ
Ｃ１２  拭き取りカートリッジ
Ｃ１３  拭き取り専用スポンジ
Ｃ１４  留めゴム
Ｃ１５  円形支え台
Ｃ１６  布巾固定溝
Ｃ１７  ティッシュペーパー
Ｃ１８  専用布巾
Ｃ１９  軸バネ
Ｃ２０  汎用布巾
Ｃ２１  ペーパータオル
Ｃ２２  多目的専用手持ち装置
Ｃ２３  充電地
Ｃ２４  引き金式スイッチ
Ｃ２５  ホイップ付カートリッジ軸
Ｃ２６  平面専用ブラシ
Ｃ２７  スポンジ隙間
Ｄ０１  流し台
Ｄ０２  シンク
Ｅ０１  皿
Ｅ０２  茶碗
Ｅ０３  コップ
Ｅ０４  弁当箱
Ｅ０５  箸
Ｅ０６  ビールグラス
【発明を実施するための最良の形態】
【０００８】
以下、本発明の実施の形態を図画に基づき詳細に説明する。
図１〜図３は、本発明の具体的な実施の形態に係り、３つの主要構成要素の具体的な組み合わせでの多様な利用法の中の代表的な設置例であり、その外観傾斜図である。
図１は、駆動装置を３基使用する実施例で、主要駆動装置Ａ０１と補助駆動装置Ａ２１を合体させ２基一組で洗浄装置設置機具Ｂ０１に垂直・並行に設置し、それぞれスポンジカートリッジ軸Ｃ０１に装着された各種スポンジを互いに逆回転しながら食器の両面洗浄を行い、またその他１基の駆動装置を水平に設置し、食器類の片面洗浄を同時に行う状態を示す外観傾斜図である。
図２は図１の駆動装置２基を左９０度左回転させ、水平（横）、並行に設置して食器類などを両面洗浄する際の外観傾斜図である。
図３は、駆動装置２基をそれぞれ別用途に独立に利用する際、利用者側から手前の主要駆動装置Ａ０１を垂直に、補助駆動装置Ａ２１を横平行に倒して、各別々に利用する際の外観傾斜図である。
図４〜図７は、本発明による各種食器類の洗浄など実際の利用例を示す外観傾斜図である。図４は、駆動装置２基を一組とし、皿Ｅ０１の両面洗いの模様を示す外観傾斜図である。
図５は、上記図２の設置で、皿Ｅ０１の両面洗いの模様を示す外観傾斜図である。
図６は、主要駆動装置Ａ０１をコップＥ０３の内側洗浄、補助駆動装置Ａ２１を茶碗Ｅ０２の内面の洗浄または他の食器類、調理器具への利用を示す外観傾斜図である。
図７は、主要駆動装置Ａ０１を洗浄後の食器の水滴拭き取り、補助駆動装置Ａ２１を単独で食器の一面洗浄への利用を示す例である。各駆動装置はこのように単独のみの利用もできる。なお、図６と図７は主要駆動装置Ａ０１と補助駆動装置Ａ２１を２名で別々同時利用することも可能であることを示す一例である。
図８は、モーターＡ０２を内臓した主要駆動装置Ａ０１を横から見た断面図である。モーターはプラスチック樹脂やステンレスなどの防錆材を使用した駆動装置ケースＡ０３に入れられ、直接水滴や洗浄液、泡などに触れない。また、上部にはモーターの回転を洗浄機材に連結させる軸装着装置Ａ０４があり、その形状はスポンジなどの洗浄部材を取り付けた際に空回りや回転時にはずれることがないようピンが付いた空回り防止金具Ａ０５がある。主要駆動装置Ａ０１の下にはモーターの＋局、−局の両電極に繋がれた２本の電線を外に出すように電線穴Ａ１０が開けられている。主要駆動装置Ａ０１は２基での同時利用の際補助駆動装置Ａ２１を支える支え台Ａ１１が出っ張っている。支え台Ａ１１には同時利用の際に補助駆動装置Ａ２１の回転を常に主要駆動装置Ａ０１の逆回転となるよう電極を逆にした同時利用時逆回転変換用繋ぎ装置Ａ１２がある。これにより２基一組での補助駆動装置Ａ２１の電源は、主要駆動装置Ａ０１から電極を逆にした状態で供給され、逆回転が実現する。
図９は、主要駆動装置Ａ０１の前と後ろの各面を示した平面図である。設置機具取付け面Ａ０６は洗浄装置設置機具Ｂ０１の専用設置板Ｂ１２に取り付ける面であり、補助駆動装置接続面Ａ０７は補助駆動装置Ａ２１の主要駆動装置接続面Ａ２３に固定するためのものである。補助駆動装置接続面Ａ０７は補助駆動装置Ａ２１と合体する際の面であり、溝付留め穴Ａ０９は補助駆動装置Ａ２１の固定ピンＡ０８の形状に対応して空けられている。
図１０は、補助駆動装置Ａ２１を横から見た断面図である。
図１１はその設置機具取付け面Ａ２２と後ろの主要駆動装置接続面Ａ２３を示した平面図である。主要駆動装置Ａ０１との構造上の違いは、支え台が無く主要駆動装置Ａ０１の溝付留め穴Ａ０９に対応する固定ピンＡ０８が両面にあることである。また、支え台Ａ１１に設置された際、その回転を主要駆動装置Ａ０１と常に逆回転になるよう電極を逆にした逆回転固定電源接続部Ａ２４がある。
図１２は、上記両駆動装置を合体させる仕組みを示した外観傾斜図である。
互いに形状と配置が対応した部分を結合させる。補助駆動装置Ａ２１の固定ピンＡ０８は主要駆動装置Ａ０１の駆動装置接続面Ａ０７にある溝付留め穴Ａ０９の下の溝に固定される。図においては８個の対応した固定ピンＡ０８とその形状に対応した溝付き留め穴Ａ０９であるが、その形状は両駆動装置の接続のためであれば縦・横に接続し固定できるならばいかなる形状でもよい。また、２基の組み合わせの際、その間隔を若干調節可能とし、２つのスポンジの隙間幅を調節可能とする。
また、図のように補助駆動装置Ａ２１の表と裏の両面に同じ固定ピンＡ０８が６個ある場合は、補助駆動装置Ａ２１を単独で利用する場合、どちらの面でも洗浄装置設置機具Ｂ０１に取り付けられる。
図１３は、両駆動装置を合体させた際、固定ピンＡ０８が溝付き留め穴Ａ０９に嵌まって固定されたことを示す断面図である。
図１４は、流し台Ｄ０１の縁に図１３の状態で洗浄装置設置機具Ｂ０１に取り付けた様子を示す平面図である。
図１５は、流し台Ｄ０１に設置した洗浄装置設置機具Ｂ０１の全体像を示した外観傾斜図である。図のように洗浄装置設置機具Ｂ０１は主に操作盤Ｂ０２、設置フックＢ１１、専用設置板Ｂ１２、回転安定金具Ｂ３１、変圧器Ｂ３２（内蔵）などで構成される。
図１６は、上記横長の専用設置板Ｂ１２と違い、とくに狭いシンクで駆動装置を取り付けられる簡易設置機具Ｂ０７の形状を示した外観傾斜図である。オフィスなどの小さな流し台で主にコップのみの洗浄の場合に適しており常時設置できる簡易型である。
図１７は、上記図１６の簡易設置機具Ｂ０７を流し台に設置し、駆動装置を１基また２基一組で取り付けそれにスポンジを装着して利用する様子を示した外観傾斜図である。
図１８と図１９は、洗浄装置設置機具Ｂ０１の取り付けの構図を示した外観傾斜図である。図１８は、スイッチ類と電源コードを収めた操作盤Ｂ０２を流し台Ｄ０１の縁に置き、それに左右２本の設置フックＢ１１を上または横から乗せて設置する様子を示した外観傾斜図である。操作盤Ｂ０２には、駆動装置用スイッチＢ０３、回転数制御装置Ｂ０４、電源コードＢ０５などが集約され、ここですべての電源と回転を操作する。
なお、駆動装置用スイッチＢ０３は、スイッチの方向により、電流を逆にでき正逆回転変換が可能になる。
図１９は、設置フックＢ１１の上部構造を示す断面図であり、その上部には流し台Ｄ０１の形状や幅に対応できるように縁幅調整固定手ネジＢ１５で調整できる仕組となっている。また下部分にはシンクへのキズ付けを防止し、駆動装置の振動を吸収するキズ防止ゴムＢ１６が装着されている。
図２０は、設置フックＢ１１を装着する様子を示した外観傾斜図である（図では左右２つのうち片方のみ示す）。設置フックＢ１１には、専用設置板Ｂ１２を装着し固定するために各２個の固定用手ネジＢ１３があり、専用設置板Ｂ１２には例として左右各５個のフック取付け穴Ｂ２２がある。固定用手ネジＢ１３はフック取付け穴Ｂ２２の上部分の溝に収まり、固定手ネジＢ１３でシッカリと固定される。また、専用設置板Ｂ１２を高く設置する場合はフック取付け穴Ｂ２２の取り付け位置を変えることで可能となる。
また、専用設置板Ｂ１２の裏面上部には、複数の駆動装置を同時に利用できるよう２個または３個（図では３個）の変圧器Ｂ３２に繋がれた駆動装置接続電源プラグＢ０６があり、駆動装置の設置位置により専用設置板の裏面上部をスライドして電気を供給できる仕組みである。
図２１は、各駆動装置を専用設置板Ｂ１２に装着する様子を示す外観傾斜図である。専用設置板Ｂ１２の中央面には、例えば各駆動装置の固定ピンＡ０８の形状と配列に対応した駆動装置取付け穴Ｂ２１が等間隔（およそ１．５ｃｍ〜３ｃｍ間隔）で、一列におよそ２０個前後配置され、またそれが６〜８列等間隔でならび、これにより各駆動装置を専用設置板Ｂ１２にある駆動装置取付け穴Ｂ２１の配置の範囲内であれば任意の位置に縦・横自由に取り付けけられる。
図２２は、回転安定金具Ｂ３１を利用する際に９０度シンク内部に回転させた外観傾斜図である。
図２３は、回転安定金具Ｂ３１を利用した場合の横から見た平面図である。
図２４は、回転安定金具Ｂ３１に洗浄機材の回転軸が支えられ設置されている様子を示す平面図であり、駆動装置を横に倒して洗浄時に皿を押し付けても軸の根元部分に負担をかけず、スポンジカートリッジ軸Ｃ０１の回転ブレを防ぎ安定的に回転させる。
図２５は、固定用手ネジＢ１３をフック取付け穴Ｂ２２の位置を変え、専用設置板Ｂ１２の位置を高め、また設置フックＢ１１を緩め洗浄装置設置機具Ｂ０１自体をシンクの縁に沿って横移動（スライド）させた様子を示した平面図である。これにより、シンクＤ０２内に水をためた状態でも、駆動装置を高い位置で稼動させることができ、また背の高い利用者でもかがむ姿勢でなく楽に利用できる。
図２５、２６は、専用設置板Ｂ１２の駆動装置取付け穴Ｂ２１の替わりに横長のレール型取り付け溝Ｂ２４を数本空けた、レール型専用設置板Ｂ２３の形状である。レール型取り付け溝Ｂ２４の下部に等間隔に設けた溝に各駆動装置の固定ピンＡ０８が固定される。このような形状にしても各駆動装置の固定ピンＡ０８は縦横自由に設置することが可能であり、とくにスライド移動は楽にできる。
図２７は、洗浄装置設置機具Ｂ０１に各駆動装置を様々な位置とパターンに取付け利用できる様子を示した平面図である。このように２名での利用や、各家庭の流し台の大きさ、利用者の体型などに応じて自由に駆動装置の取り付け位置と垂直利用、水平利用、高さ調整が可能である。
図２８は、スポンジカートリッジ軸Ｃ０１の形状とその利用を示した断面図である。
スポンジカートリッジ軸Ｃ０１の下部分の回転軸結合装置Ｃ０２は、駆動装置の回転軸上部の空回り防止金具Ａ０５の形状と対応しており、装着時および回転時に空回りと引き抜かれることを防止する。図のように筒状の下部専用スポンジＣ０５と上部専用スポンジＣ０６の各中央に貫通された穴にスポンジカートリッジ軸Ｃ０１を差込み、その状態で駆動装置の軸装着装置Ａ０４および回転軸上部の空回り防止金具Ａ０５に差し込み装着する。
図２９は、食器類の両面洗浄のための垂直・水平並行利用の具体例を示す断面図である。互いに逆回転している主要駆動装置Ａ０１と補助駆動装置Ａ２１に取り付けられたスポンジの隙間に食器類を回転する内側に向け横から押し込み両面洗浄する。また図の示すとおり皿Ｅ０１や茶碗Ｅ０２、四角く角のある弁当箱Ｅ０４なども、スポンジの上部のスポンジートリッジ軸Ｃ０１が及ばないスポンジ自体の柔軟性を存分に利用することができ、あらゆる形状に対応して洗える。
図３０は、上記駆動装置２基一組の回転する上部専用スポンジＣ０６の上部に食器類を押し当てて洗いにくい角のある部分などを洗浄する模様を示す断面図である。
とくに油汚れがひどい食器類や、油などが溜まりやすい食器類の底部分、食器下の支え部分などを念入りに洗浄したい場合、互いに逆回転する両駆動装置の上部専用スポンジＣ０６に押し当てることで十分な洗浄が可能である。
図３１は、２基一組の利用の際、主要駆動装置Ａ０１にはスポンジカートリッジ軸Ｃ０１の上部に上部専用ブラシＣ０９、下部に下部専用スポンジＣ０５を取り付け、細長いワイングラスやビールグラスＥ０６などの内底部分と内外面を同時に洗浄していることを示す図である。このように部分的にブラシも利用できる。
図３２は、下部スポンジＣ０５部分に箸を数本同時に押し当て、まとめて洗浄する様子と、通常のコップＥ０３の洗浄を示す平面図である。
図３３は、食器洗いの後、水滴を拭き取るための拭き取り専用カートリッジＣ１２の形状とその構成を示した一例で、その外観傾斜図である。
上部が楕円形の拭き取り専用スポンジＣ１３の上に水滴を吸収する専用布巾Ｃ１８を乗せ、それを留めゴムＣ１４で円形支え台Ｃ１５下部にある布巾固定溝Ｃ１６に固定する。また拭き取り専用カートリッジＣ１２の軸には軸バネＣ１９を利用することにより、拭取り回転させながら食器類を強く抑えた際も角度を曲げながら回転し、軸への負担を軽減できる。
図３４は、市販の汎用布巾Ｃ２０を専用布巾Ｃ１８の代用品として装着した際の利用例を示した図である。正四方形の汎用布巾Ｃ２０を４分の１に折りたたんで装着する。一つの面が一定量の水分を吸収した後、他の面（３面）を順次表にして利用でき多くの食器類の水滴を効率よく吸収できる。折りたたむ際にペーパータオルＣ２１一枚やティッシュペーパーＣ１７などを数枚挟めば更に吸水性が増す。
図３５は、専用スポンジの形状とブラシの形状を示した図であるが、それぞれ形は細いものや高いもなど多様にすることもできる。
図３６は、駆動装置の回転を他の用途に利用するための多目的専用手持ち装置Ｃ２２に駆動装置１基を取付け、その回転軸にホイップ付カートリッジ軸Ｃ２５を装着して、電動ホイップ機としての利用を示す断面図である。また図のように充電池Ｃ２３を備えた方式にして引き金式スイッチＣ２４を備えた場合屋外での利用も可能となる。
図３７は、図３６のホイップ付カートリッジ軸Ｃ２５の替わりに鍋底やフライパンの焦げなどを落とすために利用する平面専用ブラシＣ２６を取り付ける様子を示した断面図である。多目的専用手持ち装置Ｃ２２さえあれば、床や壁の洗浄のための回転装置や他の用途にも応用することも可能となる。
図３８は、流し台Ｄ０１自体に本発明の全てまたは一部の機能を取り入れた一例を示す外観傾斜図である。全自動食器洗い機が内蔵されたビルトイン型流し台や一般の流し台にも、少量の食器洗浄や下洗い、拭き取りの際すぐに利用できる新たな機能と付加価値を加えた流し台となる。
図３９は、図３８と同様、本発明の内蔵位置を変えた一例を示す外観傾斜図である。
図４０は、当発明の駆動装置の回転方向や同時逆回転変更、回転数の制御などを制御する簡単な電気回路図である。
図４１は、歯車利用一体型の従来発明の回転ブラシ型食器洗い機の断面図である。
図４２は、上記図４１の一体型の回転ブラシ型食器洗い機の外観傾斜図である。
図４３は、従来発明の回転ブラシ食器洗い機の断面図である。
【産業上の利用可能性】
【０００９】
本発明は、食器洗い機や家庭用洗浄器などの家庭電化製品、または流し台、スポンジを製造、販売する産業分野で利用することができる。
【図１】
2006085701.tif 000002
【図２】
2006085701.tif 000003
【図３】
2006085701.tif 000004
【図４】
2006085701.tif 000005
【図５】
2006085701.tif 000006
【図６】
2006085701.tif 000007
【図７】
2006085701.tif 000008
【図８】
2006085701.tif 000009
【図９】
2006085701.tif 000010
【図１０】
2006085701.tif 000011
【図１１】
2006085701.tif 000012
【図１２】
2006085701.tif 000013
【図１３】
2006085701.tif 000014
【図１４】
2006085701.tif 000015
【図１５】
2006085701.tif 000016
【図１６】
2006085701.tif 000017
【図１７】
2006085701.tif 000018
【図１８】
2006085701.tif 000019
【図１９】
2006085701.tif 000020
【図２０】
2006085701.tif 000021
【図２１】
2006085701.tif 000022
【図２２】
2006085701.tif 000023
【図２３】
2006085701.tif 000024
【図２４】
2006085701.tif 000025
【図２５】
2006085701.tif 000026
【図２６】
2006085701.tif 000027
【図２７】
2006085701.tif 000028
【図２８】
2006085701.tif 000029
【図２９】
2006085701.tif 000030
【図３０】
2006085701.tif 000031
【図３１】
2006085701.tif 000032
【図３２】
2006085701.tif 000033
【図３３】
2006085701.tif 000034
【図３４】
2006085701.tif 000035
【図３５】
2006085701.tif 000036
【図３６】
2006085701.tif 000037
【図３７】
2006085701.tif 000038
【図３８】
2006085701.tif 000039
【図３９】
2006085701.tif 000040
【図４０】
2006085701.tif 000041
【図４１】
2006085701.tif 000042
【図４２】
2006085701.tif 000043
【図４３】
2006085701.tif 000044
【国際調査報告】
2006085701.tif 000045
2006085701.tif 000046
2006085701.tif 000047
2006085701.tif 000048